Podtech/llm-jp-corpus-v4-ja_patent huggingface dataset:
(57)【要約】【課題】  庇などの雨除けが無い窓、若しくは、庇が小さい窓には窓を開けて自然換気をしている際に雨などが降ると、雨が吹き込んで室内が濡れてしまうという問題があった。これは、一般的に窓には開放時の雨除け機能が無い為である。【解決手段】  ルーバーなどの通気可能な雨除け本体の両側に、上端と下端に切り欠きを設けた支柱を取り付け、それぞれの支柱の上端に固定用部品Ａ、Ｂを付けて窓のガラス戸用レール部に宛がい、位置を決めてネジで固定するものである。この雨除けの取り付けにより庇などの雨除けが備わっていない、若しくは、雨除けが小さい窓であっても窓を開ける事が可能となり、雨の日にも自然換気が可能となる。【選択図】図１
2010174612.tif 000002
【特許請求の範囲】
【請求項１】
換気機能を有する事を特徴とする雨除け具。
【請求項２】
窓のガラス戸用レール部に取り付け、取り付けた後も施錠などが可能な事を特徴とする請求項１記載の雨除け具。
【請求項３】
取り付け先の形状に合わせられるように、形状を工夫して支柱と固定用部品に汎用性を有する事を特徴とする、請求項１記載の雨除け具。
【発明の詳細な説明】
【技術分野】
【０００１】  この発明は、換気機能を備えた窓用雨除け具の形状と固定方法に関するものである。
【背景技術】
【０００２】  一般的に窓には開放時の雨除け機能が無いため、雨天時に窓を開けて自然換気をしたい場合には、雨が吹き込まない様に庇などが必要である。しかし、全ての窓に庇などを設ける事は住宅事情を考えると現実的に難しい。【０００３】  雨天時にも開閉可能な窓として複数のガラス板がブラインド状に構成されるジャロジーがあり、これには採光、換気、目隠しの機能がある。
【発明の概要】
【発明が解決しようとする課題】
【０００４】  庇などの雨除けが備わっていない、若しくは、庇があっても小さい場所に設置された窓には、開放時の雨除け機能が無い、若しくは、雨除け機能が不十分なため以下の様な欠点があった。【０００５】  窓を開けて自然換気をしている時に雨が降ると雨が室内に吹き込み、床やカーテン等が濡れてしまうため、雨の日には窓による自然換気が困難である。【０００６】  本発明は、前記の欠点を解決するため、雨天時でも自然換気が可能で窓の施錠などにも支障が生じない窓用の雨除け具を提供するものである。
【課題を解決するための手段】
【０００７】  図２に示すようにルーバー形状などの通気性がある雨除け本体（１）の両側に溝を設けた左支柱（２）と右支柱（３）を設け、支柱（２）、（３）のそれぞれの上端に固定用部品Ａ（４）、固定用部品Ｂ（５）を設けてネジ（６）を設けたものを窓（７）に取り付ける。本発明は、以上の構成によりなる雨天でも自然換気が可能な窓用の雨除け具である。【０００８】  図３に示すように、本発明の雨除けの固定用部品Ａ、及び、固定用部品Ｂは上下左右を逆に用いる事ができる構造になっている。これは、必要に応じて取り付け時の形状などを選択できる汎用性を持たせるための工夫である。尚、各部品は組み立てた状態で窓の施錠などに支障がない厚みに設定する。【０００９】  また、雨除け自体に強度が必要とされる場合には、雨除け本体（１）の上端と下端に左支柱（２）と右支柱（３）を連結して補強する部品を設けても良い。
【発明の効果】
【００１０】  本発明の窓用雨除け具により、庇などの雨除けが無い位置に設置された窓であっても、雨除けを取り付けた範囲には雨が吹き込まなくなり、雨天でも自然換気が可能となる。
【図面の簡単な説明】
【００１１】
【図１】  この発明の一実施形態を示す斜視図である。
【図２】  この発明の要部の形状例を示す斜視図である。
【図３】  この発明の要部の形状例を示す斜視図である。
【発明を実施するための形態】
【００１２】  この発明の一実施形態を図１に示す。
ルーバー形状などの通気可能な雨除け本体（１）の両側に両端に切り欠き形状を持つ左支柱（２）、右支柱（３）を設け、左支柱（２）、右支柱（３）のそれぞれの上端に固定用部品Ａ（４）、固定用部品Ｂ（５）を設けて窓のガラス戸用レールに宛がい、位置決めをしてからネジ（６）で窓（７）に取り付ける。
【００１３】  この時、固定用部品Ａ、及び、固定用部品Ｂは、上下左右を逆に用いる事ができる構造になっているので、必要に応じて取り付け時の形状などを選択できる汎用性を有する。
また、窓への取り付けにおいて、高さなどに調整が不要な場合には左支柱（２）、右支柱（３）の上端に固定用部品Ａ（４）、固定用部品Ｂ（５）を設けずにネジ（６）で固定しても良い。
【符号の説明】
【００１４】    １  雨除け本体
２  左支柱
３  右支柱
４  固定用部品Ａ
５  固定用部品Ｂ
６  ネジ
７  窓
【図１】
2010174612.tif 000003
【図２】
2010174612.tif 000004
【図３】
2010174612.tif 000005
(57)【要約】【課題】現在、各一般家庭のトイレにおいて、洋式便器が多く使用されているが、多くに洋式便器一台で、女性は元より男性の小便も洋式便器の蓋、便座を持ち上げて使用するか、もしくは、大便時のように、  座っての使用が一般的で、男性においては、立っての使用時に飛び散りや、的をはずれにより便器・床等を汚してしまう、また座っての使用は、面倒に感たり、男性器を押さえないと、便器から小便が飛び散る事もあり清潔感に悪く、男性の小便時に、快適な排出行為に欠ける。【解決手段】使用用途に応じて、女性の使用又は、大便時においては、洋式便座のままで使用し、男性の小便時に回転式便器を、小便器用に回転させ、小便器カバーを開いて小便行為とする。【選択図】図１
2010174606.tif 000002
【特許請求の範囲】
【請求項１】
洋式トイレ便座の後部に男性用小便機を取り付けた一体型で、女性用又は大便時には  従来の方式であるが、男性の小便時に便器を回転させ、男性用小便器にて、小便が可能とした回転式便器。
【請求項２】
男性用小便器に、観音開きカバー（取外し可能）を取り付け、閉てる時は外観的美観に良く、使用時は小便飛び散り等を防ぐ効果となる。
【請求項３】
小便器と水タンクを一体型にし、水タンク高さを高くし便座及び小便器の奥行きスペースを短くする事により、回転スペースをなくする。
【発明の詳細な説明】
【技術分野】
【０００１】本発明は、洋式便座による男性の小便時の快適さと、トイレ及び便座等の清潔化を図った回転式男女兼用便座に関する。
【背景技術】
【０００２】従来の家庭用トイレにおいても洋式便座が多く用いられているが、男性の小便時に立って行う場合飛び散り、たれこぼれが多く、清潔性に欠け、また座っての小便時には、男性器の押さえ込み等も必要な場合もあり、男性の小便時に快適性にかける。【０００３】  洋式便座と男性用小便機を設置する場合、２部屋の確保と配管等（給排水）も２ヶ所の工事を要する。
【発明の概要】
【発明が解決しようとする課題】
【０００４】  従来の洋式便座では  男性の小便時に飛び散り、たれこぼしの為、清潔性に欠け、快適な小便行為に不便を感じていた。【０００５】本発明は、従来の洋式便座において、男性の小便時に感じていた、不快感、また便座、床等の汚れを防ぎ、清潔、快適小便（男性）を、目的としたものである。
【課題を解決するための手段】
【０００６】そして、本発明は上記目的を達成する為に、従来の洋式便座の後部に男性小便器を取り付け、回転することにより、用途によって便器を選べる。【０００７】また、小便器の清潔使用を目的とする中で、小便器の開口部に観音開きカバーを設置し、使用時に両側に開く事により、側面への飛び散り等防ぎ、使用時以外は、カバーを閉じていることにより、外観上の見た目にも良い。【０００８】回転式にすることにより給水及び排水に課題があるが、給水と排水の位置を回転軸中心に設け、給水においては、壁面より化粧パイプにて上部に取り付け、給水タンク継ぎ手に自在式継ぎ手を使用し、排水においても、自在式継ぎ手を使用することにより問題は解決する。【０００９】回転手段について、手動式、又は電動式も可能である。
【発明の効果】
【００１０】  本発明の回転式男女兼用便器は従来の家庭用トイレスペースにて、女性用は元より、男性の小便時に快適小便を可能とした。【００１１】また、便器周辺の汚れ予防に大きく、清潔使用も可能とし、清掃等が容易である。
【発明を実施するための最良の形態】
【００１２】以下、本発明の実施の形態を図１〜図４に基づいて説明する。【００１３】図１については、側面から見た立面図で男性小便器仕様可能な状態で、便座後部の洗浄水タンクと男性用小便器が一体で、小便器カバーが閉じられた状態であるが、洗浄水タンクと男性小便器は、必ずしも一体でなくても、可能である。【００１４】図２については、回転式男女兼用便器を上部から見た図（平面図）で従来の洋式前座の後部に、水タンク、男性用小便器、小便カバーであり、小便器使用時は図４のように、カバーを開いて仕様する。また、女性仕様時、大便時には、便器を回転させ、使用する。【００１５】図３に付いては、小便器カバーを両開きの状態で男性の小便時状態である。【００１６】図４は、男性小便器を正面から見た図で、小便器カバーを閉じた状態です。
【実施例】
【００１７】  この、回転式男女兼用便器を設置することにより、女性又は、大便時については、従来と変わらないが、男性の小便時については、快適小便が可能で、便座の汚れ、トイレ床の汚れ等も大きく改善される。
【産業上の利用可能性】
【００１８】  今後の大きな、トイレ革命となり、トイレスペースも従来と大きく変わらず、特に一般家計においては、大きな普及も考えられ、回転方法に付いては、手動型・電動型も可能であり  また、既存の便座を利用した、オプション改良式も考えられる為、利用可能性は  大きく感じられる。
【図面の簡単な説明】
【００１９】
【図１】本発明の実施形態を示す回転式男女兼用便器の側面図
【図２】同回転式男女兼用便器の上部から見た平面図
【図３】男性小便器使用時のカバーを開いた正面からの立面図
【図４】男性小便器の正面からの立面図
【符号の説明】
【００２０】  １：給水官              ５：小便器カバー          ９：壁断面
２：線浄水タンク        ６：便座                １０：床断面
３：小便器              ７：回転軸              １１：便座回転方向
４：カバーハンドル      ８：排水管              １２：出入り口
【図１】
2010174606.tif 000003
【図２】
2010174606.tif 000004
【図３】
2010174606.tif 000005
【図４】
2010174606.tif 000006
(57)【要約】【課題】墓石及び石塔が、地震などにより転倒落下する事故を抑制する器具を提供する。【解決手段】墓石及び石塔が、上下で構成されている場合、上部の石材に移動する力が発生した場合、本来の設置位置よりの移動を抑制し、転倒落下を防止することを特徴とした墓石及び石塔の転倒落下防止器具である。【選択図】図４
2010174607.tif 000002
【特許請求の範囲】
【請求項１】
四角柱の墓石又は石塔の四隅の角に１個づつ器具を配して、ボルト及びナットで各四隅の器具を連結及び締結し、固定させたものである。
【発明の詳細な説明】
【技術分野】
【０００１】本発明は、平板を六方向に曲げたものを、墓石及び石塔の四隅の角に配し、四個それぞれボルト及びナットで連結締結し、固定する墓石及び石塔の転倒落下防止器具である。
【背景技術】
【０００２】従来、墓石及び石塔の上下となる石材を固定する場合において、接着面は溝などを施し、．セメント等で固定していた。
【発明の開示】
【発明が解決しようとする課題】
【０００３】  そのために、次のような問題点があった。
（イ）強度の地震が発生した場合、上と下で組み合わされる墓石及び石塔の上部になる石材が固定された位置より移動をする。
（ロ）そのため転倒、落下の原因にもなった。
本発明は、これらの問題点を解決するためになされたものである。
【課題を解決するための手段】
【０００４】上と下で組み合わさる墓石及び石塔のうち、上部にあたる方の四隅の角面それぞれを連結締結し固定させ、また下部にあたる石材に対して上部の移動しようとする力を抑制させ、上部にあたる石材の転倒、落下を防止するものである。
【発明の効果】
【０００５】（イ）墓石及び石塔に直接、切削等の加工は行わない。
（ロ）数段に重ねた墓石及び石塔の場合、各段に対して取り付けが可能であり、転倒及び落下の防止性能を高めることが望める。
（ハ）脱着式であるため同形状の墓石及び石塔に再利用できる。
【発明を実施するための最良の形態】
【０００６】      以下、本発明の実施の形態について説明する。
（イ）本体の中心となる平板を曲げたもの（１）
（ロ）上下で組み合わされる石材の下部にあたる方に接し、上部の石材の移動しようとする力を抑制させるもので（１）に固定したもの（２）
（ハ）連結及び締結用に穴を設ける（３）
（ニ）墓石及び石塔の各四隅に配された本体（１）をそれぞれ隣接すものどうしを（３）を通し、ボルト及びナットで連結（４）
本発明は以上のような構成で、これを使用するときは、各四隅に配した（１）、計四個を（４）のようにナットを締め、連結締結させることにより装着された上部となる石材の移動しようとする力を（２）により、下部の石材にて抑制させるものである。
また、図４のように数段の墓石及び石塔の上部の石材を固定するが、更に、強度を得るために下部になる石材に対して同様に装着することも可能である。その場合、各（１）を連結させる距離が変化するが、連結用のボルトを距離に合わせた長さのものに変えることによって対応できる。
【図面の簡単な説明】
【０００７】
【図１】  本発明の傾斜図
【図２】  本発明の正面及び側面図
【図３】  本発明を墓石に装着したとき真上から見た図
【図４】  本発明を墓石に装着したときの傾斜図
【図５】  本発明を連結締結させたときのボルト、ナットを示した図
【符号の説明】
【０００８】    １  本体部となる平板
２  加わる力を抑制する平板
３  連結用ボルトを通す穴
４  ボルト、ナット
【図１】
2010174607.tif 000003
【図２】
2010174607.tif 000004
【図３】
2010174607.tif 000005
【図４】
2010174607.tif 000006
【図５】
2010174607.tif 000007
(57)【要約】【課題】従来の密閉型圧縮機では、ガイド管と接続管さらに吸入管の３部品を同時にロー付け密封していたため、ロー付け密封性の悪化が発生するという問題があった。本発明は吸入管を接続部と一体化にすることにより２部品のロー付けで構成が可能となり、安価でかつロー付け性の向上が可能となった。【解決手段】吸入管と接続部を一体化し、圧縮機構へ冷媒が流通する接続管挿入孔を設け、その挿入孔に挿入される接続される吸入管を設置しガイド管とロー付け密封することによりロー付け性が向上し信頼性向上を確保する密閉型圧縮機を構成することができる。【選択図】図１
2010174673.tif 000002
【特許請求の範囲】
【請求項１】
密閉容器内にスクロール型の圧縮室を有した圧縮機構と、この圧縮機構の下方に設けた圧縮機構を駆動するための電動機と、この電動機の回転力を圧縮機構部に伝達するためのクランク軸と、圧縮機構へ冷媒が流通する接続管挿入孔を設け、この接続管挿入孔に一端を挿入し、他端を前記密閉容器外部でロー付け密封する接続管が密閉容器吸入管と一体になっていることを特徴とする密閉型圧縮機。
【請求項２】
一体型接続管が鋼管でロー付け部が銅メッキしていることを特徴とする請求項１記載の密閉型圧縮機。
【発明の詳細な説明】
【技術分野】
【０００１】
本発明は冷凍空調分野等に使用される密閉型圧縮機に関するものである。
【背景技術】
【０００２】
密閉容器内にスクロール型の圧縮室を有した圧縮機構と、この圧縮機構の下方に設けた圧縮機構を駆動するための電動機と、この電動機の回転力を圧縮機構部に伝達するためのクランク軸と、圧縮機構へ冷媒が流通する接続管挿入孔を設け、この接続管挿入孔に一端を圧入し、他端を前記密閉容器外部でロー付け密封するため内側から径方向外側に押圧して拡径することによって接続管挿入孔の周壁面に圧接していた。
【特許文献１】特開平１１−２０１０４１号公報
【発明の開示】
【発明が解決しようとする課題】
【０００３】
従来の技術では、図２に示すようにガイド管と接続管さらに吸入管の３部品を同時にロー付け密封していたため、ロー付け密封性の悪化が発生するという問題があった。
【課題を解決するための手段】
【０００４】
前記従来の課題を解決するために接続管を吸入管と一体型にすることによりロー付け密封性の高い圧縮機を安価に確保することが可能となる。
【発明の効果】
【０００５】
本発明により吸入部の漏れが抑制され圧縮機の信頼性を向上させることができる。
【発明を実施するための最良の形態】
【０００６】
請求項１記載の発明は、圧縮機構へ冷媒が流通する接続管挿入孔を設け、その挿入孔に挿入される接続される吸入管を設置しガイド管とロー付け密封することにより漏れの抑制が可能となり信頼性を安価に向上させることができる。
【０００７】
（実施の形態１）
図１は密閉型圧縮機断面図である。吸入管８より密閉容器９内へ導かれたれた冷媒ガスはスクロール圧縮機構部１により圧縮され吐出される。また、スクロール圧縮機構部１にはスクロール圧縮機構部１へ冷媒が流通する接続管挿入孔１１を設け、この接続管挿入孔１１に接続部８１を挿入し、他端をガイド管１２と吸入管８をロー付け密封することによりロー付け性に優れた密閉型圧縮機を提供するものである。
【０００８】
かかる構成によれば吸入管８と接続部８１を一体化することにより安価に構成でき、かつロー付け性を向上させることができる。
【０００９】
また、請求項２によれば吸入管８を鋼管にすることにより接続部８１を圧入で構成することが可能となり、さらにロー付部を銅メッキすることによりロー付けにより密封することも可能となる。
【産業上の利用可能性】
【００１０】
以上のように、本発明にかかる密閉型圧縮機は、従来の密閉型圧縮機に対して安価でかつ高信頼性の圧縮機を提供することができる。
【図面の簡単な説明】
【００１１】
【図１】本発明の実施例を示す密閉型圧縮機の断面図
【図２】従来の密閉型圧縮機の断面図
【符号の説明】
【００１２】
１    スクロール圧縮機構部
１１  接続管挿入孔
１２  ガイド管
２    電動機部
３    クランク軸
４    主軸受部
５    副軸受部
８    吸入管
８１  接続部
９    密閉容器
【図１】
2010174673.tif 000003
【図２】
2010174673.tif 000004
(57)【要約】【課題】  メッキ用引っかけ治具のコ−テイングされた従来のものは、廃却・焼却などであったので大気への公害ガスの発生、焼却費などがかかり、これを解消する為にコ−テイングを剥離し、その他を再度利用することで前記のことを解消し、省資源からのコスト低減なども計りたいことを目的とする。【解決手段】  メッキ用引っかけ治具（１）のコ−テイング（５）の剥離をするためにバスケットタンク（１１）内に入れた窒素液体（２０）で略２〜３分間の浸漬処理して行うメッキ用引っかけ治具（１）のコ−テイング（５）の剥離法。【選択図】図１
2010174369.tif 000002
【特許請求の範囲】
【請求項１】
低沸点−１９６°Ｃの液体である液体窒素を入れたバスケットタンクにプラスチックのコ−テイングされたメッキ用引っかけ治具を入れて、略２〜３分間ほど保持する浸漬処理をしてコ−テイングを剥離する事を特徴とするメッキ用引っかけ治具のコ−テイングの剥離法。
【請求項２】
プラスチックのコ−テイングと幹の金属の収縮の比率の差とにより両者を剥離させるコ−テイングの除去された請求項１の処理法で再使用することを特徴とするメッキ用引っかけ治具。
【発明の詳細な説明】
【技術分野】
【０００１】  本発明は、メッキ用引っかけ治具に使う鉄（Ｆｅ）、ステンレス（ＳＵＳ）、銅（Ｃｕ）材にメッキがつかないようにするプラスチックのコ−テイングの剥離についてに関する発明である。
【背景技術】
【０００２】  樹脂、金属などに商品価値又は防錆などのために電気メッキを施工して商品価値又は防錆などの目的で施工をしている。長期間メッキ処理で使用されたメッキ用引っかけ治具のコ−テイングは、クラックや破れの劣化にて使用が不可能になり、次の様な処置をされていた。【０００３】  イ）コ−テイングが劣化された引っかけ治具は、新規に治具を製作するので廃却する。
ロ）コ−テイングされたメッキ用引っかけ治具は、コ−テイングだけ焼却して金属は廃      却していた。【０００４】  ハ）省資源、焼却時の排気時の公害を無くす為、メッキ用引っかけ治具を再使用したい      為に、コ−テイングの剥離をするのにカッタ−ナイフとかハンマ−で叩く手法にて      コ−テイング（被膜）を除去していた。（例えば非特許文献１参照）【０００５】
【非特許文献１】  内田  大  著者、「めっき生産構造改革の手引き」、２００２年１０月１５日  初版発行、頁１７８−１７９
【発明の開示】
【発明が解決しょうとする課題】
【０００６】  前記に述べた従来の「イ〜ハの手法」は、下記の様に諸々で次の課題があった。
イ）廃却する；廃却品の処分処理のコストの問題。
ロ）焼却する；焼却時に発生のダイオキシン等の人体の有毒ガス、焼却コストの問題。
【０００７】  ハ）被膜の剥離を人的なハンマ−処理；熟練技術が必要で工数増加（コストアップ）。
ニ）被膜の処理を人的なカッタ−ナイフにて削除；熟練技術を必要とし、工数増加で、      しかも怪我の危険性がある。
【０００８】  本発明は、前記の様な諸々の問題を解決するために、より安全で、しかも安く確実に、そうして環境にやさしさを考慮したものである。
【課題を解決するための手段】
【０００９】  図１は、メッキ用引っかけ治具（１）のコ−テイングの剥離をする装置の概要を示す。
【００１０】  図２は、メッキ用引っかけ治具（１）の外観図（正面図）を示す。その構成の概略は、メッキ処理時は、図示なき通電棒にメッキ用引っかけ治具の３Ａのフック（Ａ）に懸けて行うもので、幹（２）と一体になっている。
幹（２）は、通常は平板の銅板にて成形されている。
幹に通電用の接点（４）の電線径はリベット（７）を介して取り付けられ、電線径を固定するためにリベットのカシメ（６）と図示なき半田付けにて両者は固定されている。
絶縁のために図に示す「薄黒色部」にコ−テイング（５）がされている。
【００１１】  図２に示すコ−テイングされたメッキ用引っかけ治具（１）を数本入れた立方体形状の金網のバスケット（１３）を低温液化ガスで、−１９６°Ｃの低沸点の液体である液体窒素（２０）を入れた立方体形状のバスケットタンク（１１）に略２〜３分間浸漬させる。
銅板で成形の枝骨（２Ａ）の幹（２）とプラスチックのコ−テイング（５）とは、温度による収縮（又は膨張）比率の差によりコ−テイング（被膜）を剥離するものである。
尚）・窒素の気体の膨張率；３．６７×１０−３（１／ＤＥＧ）は、鉄・銅の固体に比べ大。
イ）鉄（温度２０°Ｃ）線膨張率；１２×１０−６
ロ）銅（温度２０°Ｃ）線膨張率；１６．７×１０−６
【００１２】  図２に示すコ−テイングされたメッキ用引っかけ治具は、液体窒素の入ったバスケットタンク（１１）にて所要時間浸漬した後、メッキ用引っかけ治具の入った金網のバスケットをバスケットタンクから取り出す。
次に、バスケットからコ−テイングしたメッキ用引っかけ治具を取り出し、図示なき高圧のジエットウオ−タ（水）にて衝撃を加えることで幹（２）とプラスチックのコ−テイング（５）をはがす（剥離）ことが出来る。
【発明の効果】
【００１３】イ）請求項の発明は、高圧ガス保安法で規制された低温液化ガスで−１９６°Ｃの低沸点    の液体である液体窒素（２０）を入れたバスケットタンク（１１）にコ−テイングし    たメッキ用引っかけ治具（１）を入れて略２〜３分間ほど保持して浸漬処理をする。
ロ）プラスチックのコ−テイング（５）と非・金属製の幹（２）との収縮（又は膨張）比    率の差とにより両者を剥離させ、コ−テイングの除去された「引っかけ治具の金属の    部分」だけを再度コ−テイングすることにより下記に示す効果がある。
【００１４】ａ）（液体）窒素を使用することで、大気公害がなく環境にやさしい。
ｂ）「引っかけ治具の金属の部分」を再使用する事で、
・  新規製作不要のために生産対応が早く、安全確実に安く出来る。
・  被膜のナイフでのカットによる熟練技術者は不要で、しかも新規製作の不要でコ      ストは、１／２の対応で済む。
・「メッキ用引っかけ治具」の焼  ・廃却より地球の温暖化と有害の排気ガスによる        環境悪化の防止および排気ガス処理対応費用の増加（１／３）が削減。
【図面の簡単な説明】
【００１５】
【図１】  本発明のメッキ用引っかけ治具のコ−テイングの剥離装置（概要図）
【図２】  コ−テイングされたメッキ用引っかけ治具の正面図（参考図例）
【図３】  図２の断面Ａ−Ａ矢視図を示す。
【符号の説明】
【００１６】１  （メッキ用の）引っかけ治具
２  幹（又は幹骨）、    ２Ａ  枝骨、    ２Ｂ  板バネ
３  フック、    ３Ａ  フック（Ａ）、    ３Ｂ  フック（Ｂ）
４  （通電用の）接点
５  コ−テイング
６  カシメ
７  リベット（又は鋲）【００１７】１０  （メッキ用コ−テイング引っかけ治具の）剥離装置
１１  バスケットタンク
１２  （金網の）バスケット
１３  金網
１４  吊るしロ−プ
１５  引き上げワイヤ−
１６  フック
２０  液体窒素
【図１】
2010174369.tif 000003
【図２】
2010174369.tif 000004
【図３】
2010174369.tif 000005
(57)【要約】  【課題】発光被り物に装着されている発光ダイオードを、単に他者に着用者の存在を喚起する視認装置としてだけではなく、着用者が照明装置として使用しえるようにする。【解決手段】鍔付き被り物の鍔の裏面に凹部を設け、その凹部にプラスチック成型部品を取り付け、そこに取付スリットを施した発光用電子装置箱を装着、又はマグネットシートもしくはマジックテープ（登録商標）等により装着することにより、その着用者にとっては前面を照らす照明装置となる。    発光用電子装置箱は脱着可能なため、既存の帽子、他に対してマグネットシート又はマジックテープ（登録商標）により取り付けが可能である。また、そのまま携帯用照明装置としても利用が可能である。 【選択図】図１
2010174385.tif 000002
【特許請求の範囲】
【請求項１】
発光ダイオードを安定して点灯させることを目的とする電子回路基板とスイッチと電池が組み込まれ、箱全体の防水処理を施したことを特徴とする発光用電子装置箱
【請求項２】
鍔付き被り物の鍔の裏面に凹部を設け、その凹部にプラスチック成型部品を取り付け、そこに取付スリットを施したことを特徴とする請求項１の発光用電子装置箱を装着した鍔付き被り物の発光装置
【請求項３】
請求項２記載の取付スリットはプラスチック成型部品の凸部と発光用電子装置箱の凹部がスライドしてはめ込み式になっている構造であることを特徴とする発光用電子装置箱
【請求項４】
請求項３記載の発光用電子装置箱の凹部がスライドしてはめ込まれるプラスチック成型部品と発光用電子装置箱のスリットに曲面の凹凸を２箇所付けることにより装着が確実に固定されることと、プラスチック成型部品の凸部と発光用電子装置箱の凹部それぞれの挿入部を曲面にすることを特徴としたプラスチック成型部品と発光用電子装置箱
【発明の詳細な説明】
【技術分野】
【０００１】
本発明は、発光装置を具備する帽子、サンバイザー、ヘルメット、傘等の発光被り物に関する。
【背景技術】
【０００２】
従来の発光被り物の発光装置は発光ダイオード（ＬＥＤ素子）等が使用されており、被り物の頭頂部（例えば、特許文献１参照）や外周部（例えば、特許文献２参照）、後頭部（例えば、特許文献３参照）、前頭部（例えば、特許文献４参照）に発光装置が配置されている。
【０００３】
【特許文献１】実開昭５９−１８９８３４号公報
【特許文献２】特開平１１−３２９００３号公報
【特許文献３】特開平１０−００８３１９号公報
【特許文献４】特開平０８−１００３１８号公報
【発明の概要】
【発明が解決しようとする課題】
【０００４】
従来の発光被り物は頭部を包む被り物本体の外面に発光ダイオード等が配置されているので、その着用者の存在を示す視認装置としての機能は発揮している。しかし、従来の発光被り物は、その着用者にとっては照明装置にはなり難い。
また、その発光装置は被り物自体に組み込まれているので、汚れや汗による洗濯等が出来ない構造になっている。
そこで本発明は、以上のような課題を解決するためになされたものである。
【課題を解決するための手段】
【０００５】
本発明では、取り付け方法として取付スリットで取り付けるものとしたが、マグネットシート８又はマジックテープ（登録商標）９でもよい。必要時には脱着が可能にしたことを特徴とする。
【発明の効果】
【０００６】
被り物に前面を照らす発光装置を組み込むことにより、暗闇での補助照明装置を手で持つ必要が無いので、安全面で非常に便利である。また、少々の激しい動きをした時でも帽子がずれない限り発光ダイオードがずれないので、常に目線と光線の方向が概ね一致するために非常に見やすくなっており、安全に対し、非常に有効である。
【０００７】
発光装置が取付スリットにより装着されているため、脱着出来ることにより汚れや汗による洗濯等が可能である。
【０００８】
電源であるバッテリーにリチウム電池を使用しており、その特徴である自然放電が少ないので、装着したままでの長期保存が可能なため、災害等の非常用照明装置として利用できる。
【発明を実施するための最良の形態】
【０００９】
以下、本発明を実施するための最良の形態について説明する。
本発明に係る発光被り物は、鍔付き被り物の鍔１の裏面に正面を向けて凹部７を設け、凹部に発光ダイオード２とそれを点灯させる電子回路基盤４とスイッチ５と電池６のすべてが組み込まれた箱全体の防水処理も施した軽量な発光用電子装置箱３を取付スリット１２により装着されていることにより、その着用者にとっては前面を照らす照明装置となる。
【００１０】
また、発光用電子装置箱３は取付スリットにより装着されており、洗濯等必要時には脱着可能にする。
【００１１】
本発明は、以上のような構造でこれを使用するときは、スイッチ５を押すごとに発光ダイオード２が5個点灯、3個点灯、消灯を繰り返す。その点灯により着用者の前面を照らすことが出来る。
発光用電子装置箱３は防水仕様のため、夜釣りや作業用のように水に濡れる状況下でも利用が可能である。
【００１２】
発光用電子装置箱３は脱着可能なため、既存の帽子、他にもマグネットシート８又はマジックテープ（登録商標）９により取り付けが可能である。また、そのまま携帯照明装置としても利用が可能である。
【００１３】
発光用電子装置箱３の発光ダイオード２の取り付け部を上下に可動式にすることにより、着用者が発光の上下角度を調節することが可能で、より有効な照明効果を得ることが可能である。
【００１４】
発光用電子装置箱３の取付スリット１２とプラスチック成型部品１１双方に曲面の凹凸を２箇所取り付けることにより、発光用電子装置箱３が確実に取り付けられる。凹凸は２箇所としたが、コスト面を考慮したものであり、技術的には２箇所以上あれば良い。
【００１５】
発光用電子装置箱３の取付スリット１２とプラスチック成型部品１１双方の挿入部を曲面にすることにより挿入を容易にした。この曲面は少々の曲面があれば十分である。
【図面の簡単な説明】
【００１６】
【図１】本発明の正面図である。
【図２】本発明の平面図である。
【図３】本発明の発光用電子装置箱の断面図である。
【図４】本発明のスリット式発光用電子装置箱の斜面図である。
【図５】本発明のスリット式発光用電子装置箱の側面図である。
【符号の説明】
【００１７】
１  鍔付き被り物の鍔
２  発光ダイオード
３  発光用電子装置箱
４  電子回路基盤
５  スイッチ
６  電池
７  凹部
８  マグネットシートＡ
９  マジックテープ（登録商標）
10  可動軸
11  プラスチック成型部品
12  取付スリット
13  電池蓋
14  マグネットシートＢ
【図１】
2010174385.tif 000003
【図２】
2010174385.tif 000004
【図３】
2010174385.tif 000005
【図４】
2010174385.tif 000006
【図５】
2010174385.tif 000007
(57)【要約】      （修正有）【課題】にんにくや唐辛子を好んで食べる人たちのエネルギーは素晴らしい。これらの作用を応用して日本人の体力向上剤を提供。【解決手段】鹿児島大学医学部第一内科、鄭忠和教授の考案された和温療法が多くの疾病について非常に効果があることはよく知られ、日本全国の病院に導入されている。この方法は外から患者様の体を温めることにより効果を挙げている。本発明者は発想の転換をして、内から体を温めようとするものである。従って消耗性疾患を持つ人には禁忌である。基礎代謝をあげることにより、健康な人をより逞しくし、強壮及び美容に役に立つと考え、微量の粉末唐辛子と粉末にんにくを混合してカプセルに詰めることである。【選択図】図１
2010174007.tif 000002
【特許請求の範囲】
【請求項１】
本発明によるカプセルを服用する者の全ての人。  微量の粉末レッドペっパーとガーリックを混合してカプセルにいれた物。
【発明の詳細な説明】
【技術分野】
【０００１】  本発明は健康増進薬に関するものである。
【背景技術】
【０００２】  従来はこのような発想はなかった。
【発明の開示】
【発明が解決しようとする課題】
【０００３】  にんにくや唐辛子を好んで食べる人たち、（例えばコリアン）のエネルギーは素晴らしい。これらは、にんにくの滋養強壮効果と唐辛子による基礎代謝の上昇の結果である。これらの作用を応用して日本人の体力、いや全世界人の体力を向上しようとする事を課題とする。
【課題を解決するための手段】
【０００４】  この課題を解決するための請求項１の発明は、微量の粉末唐辛子と粉末にんにくを混合してカプセルに詰めることである。【０００５】（請求項２）  なし
【発明の効果】
【０００６】  本発明により服用者は元気に成るであろう。バイタリティーは増し、基礎代謝の上昇により体脂肪の燃焼も予想され、美容効果も期待できる。
【発明を実施するための最良の形態】
【０００７】  図１はカプセルの立体図である。カプセルが口内で溶けないようにする事が肝要である。【０００８】  略【０００９】  カプセルは唾液で溶けず胃の中で溶けるようにする。
【産業上の利用可能性】
【００１０】  本発明は大衆薬として大量生産する可能性がある為、産業上の利用可能性を有する。
【図面の簡単な説明】
【００１１】
【図１】図１はカプセルの立体図である。
【図１】
2010174007.tif 000003
(57)【要約】      （修正有）【課題】発電の新しい手法として、コストがかからない重力を用い、簡単に発電できる仕組みを提供する。【解決手段】重量物１と歯車３を一体化させ、自然落下状態にし、その歯車を受け止める別の歯車４をかみあわせる。後者の歯車は床上に固定させる。前者の自然落下状態の物体と一体化した歯車は、重力に従い落下するが、その歯車と噛み合った歯車は位置が固定されている為、前者の歯車は同一位置にて回転運動を行い、それを受けて後者の歯車は反対方向に回転し、重力の力の働く方向は異なることとなる。この時点で重力の力は、後者の歯車に移り、発電用に使用する事が可能となる。燃料は重力であり、コストはかからず、二酸化炭素も排出しない。また、回転する歯車は重力の力を常に受ける為、加速度を得て、高出力が可能となる。【選択図】図１
2010174880.tif 000002
【特許請求の範囲】
【請求項１】
固体物体と，それに取り付けた歯車を自然落下状態にし、床上に固定した歯車において、２個の歯車を噛み合わせ、自然落下状態の固体物体にかかる重力の力を歯車を通して、移し、床上の固定した歯車を回転させる。歯車の軸受けにベアリング、潤滑油等の液体を使用し回転を高速化可能とする。固体物体の重さ、歯車の大きさは任意とする。
【発明の詳細な説明】
【技術分野】
【０００１】  本発明は、重力を活用した発電方法に関するものである。
【背景技術】
【０００２】  これまで、エネルギーを取り出す方法として、石油、石炭を燃焼させて蒸気をおこし、その圧力で歯車を廻す方式、水がながれている所で貯水し、それを放出することでエネルギーをえる方式等、いろいろ考えられ、実現化されてきた。【０００３】  しかし、石炭、石油を燃焼させ、蒸気をおこし、発電する為には、多くの石油、石炭を必要とし、貴重な化石燃料を大量消費し、また、多くの二酸化炭素を排出し、温暖化現象の原因ともなっている。自動車についても、石油を使用し、二酸化炭素を大量に放出し、温暖化の主要因といわれている。
【発明の概要】
【発明が解決しようとする課題】
【０００４】  本発明は、石油、石炭を使用してエネルギーを取り出し時に大量に二酸化炭素を発生し大気汚染、地球温暖化させるのを、少しでも遅らせ、重力を用いたエネルギーの取り出し方法を提示することにより、二酸化炭素も発生させず、低コストな発電方法を実現可能とする事を課題とする。
【課題を解決するための手段】
【０００５】  床上に体操で使う鉄棒と同じ形状の金属製の物を置き、上部の直線部分に歯車を設置する。また、固体物体と歯車を一体化し、空中におき、歯車が噛み合うように置く。固定物体の左右には、固定物体が左右、前後に大きく動かないように壁を作る。歯車の中心は、床に固定した歯車の中心が等しいか、もしくは、上方になるようにする。自然落下状態の固体物体が落下する場合、一体化された歯車は、床上に固定された歯車と噛み合っている為、２つの歯車は歯車の中心から見て反対方向に回転する。固体物体は落下方向に力が働くが、この時歯車が同一位置で回転している為、落下しない。この時、固体物体の下方への力は、歯車部で作用し、回転速度の増加へ転嫁される。その為、２つの歯車の回転速度向上となって現われ、床上に固定した歯車の回転力を用いて、エネルギーの取り出しが、可能となる。
【発明の効果】
【０００６】  本発明によれば、自然落下状態の固体物体にかかる重力を、歯車１を経由して、床上に固定した歯車２に伝播し、歯車２を回転させる。この回転力を用いて様々な利用が可能となる。発電、発電による電気の活用と用途に制約はない。重力は常に存在し、コストはかからない。この発明では、いかなる有害物質も発生させない為、エコ、温暖化対策にも、効果がある。【０００７】  発明を実施する為の最良の形態について、図１を用いて詳細に説明する。
図１は、本発明の重力利用の発電の実施形態を例示する図である。【０００８】  固体物体と歯車１を一体化させ、床上に固定した歯車２押さえ棒に固定した歯車２と噛みあわせる。この２つの歯車の中心は、歯車１の中心を歯車２の中心より上部にくるのが望ましい。下部にすると、歯車が噛み合わなくなる可能性が発生する。上部におけば、歯車１が歯車２と噛み合い、回転しても、歯車１は常に歯車２上を転がる形となる。この２２つの歯車には、左右に歯車押さえ板をおき、歯車がはずれないようにする。また、歯車と歯車押さえ板の間にはベアリングを挟み、回転を効率よく行うようにする。【０００９】  歯車が噛み合った状態である為、回転をはじめても歯車２が床上に固定された軸上にあり、歯車の歯の部分の間隔が同じである為、歯車１の中心部は左右にも上下にもぶれない。【００１０】  歯車１は、常に固体物体を通して重力による力を受ける為、回転速度は速いものとなり、同時に歯車２の回転速度も上がっていく事となる。【００１１】  歯車は、円盤型でも、中心に穴の開いた円柱状でも構わない。また、回転を滑らかにするために、歯車と軸の間にベアリングを使用する事で回転速度が向上し、初期回転も滑らかなものとなる。【００１２】  固体物体には、左右にぶれて落下しないように固体物体押さえを設置する。また、前後にも、固体物体押さえを設置するのが望ましい。この時、固体物体押さえに、ベアリングをはめこみ、固体物体が常に滑らかな自然落下状態にする。【００１３】  固体物体の重さ、歯車の半径については、任意とする。
【図面の簡単な説明】
【００１４】
【図１】本発明の重力を使用した発電の実施形態を例示する図である。
【符号の説明】
【００１５】１  固定物体
２  固定物体押さえ
３  歯車１
４  歯車２
５  歯車２押さえ棒
６  歯車２押さえ部
７  ベアリング１
８  ベアリング２
９  歯車１押さえ板
１０  歯車２押さえ板
【図１】
2010174880.tif 000003
(57)【要約】【課題】小規模な装置で太陽熱を利用して回転する風車を提供する。【解決手段】煙突型太陽熱風力発電に見られる上部の広い開口部をなくして全体をひょうたん型とし、中ほどの狭まった位置に風車を配し、上部に排気口、下部に吸気口を有する構成とした。【選択図】図１
2010174879.tif 000002
【特許請求の範囲】
【請求項１】
上部に広い開口部がなく、全体がひょうたん型で、中ほどの狭まった位置に風車を配し、上部に排気口、下部に吸気口を有する、太陽熱を利用して回転する風車。
【発明の詳細な説明】
【技術分野】
【０００１】  この発明は、太陽熱を利用して回転する風車に関する。
【背景技術】
【０００２】  太陽熱を利用して回転する風車は、１９８０年代にスペインで稼動した煙突型太陽熱風力発電所において利用された。
【発明の概要】
【発明が解決しようとする課題】
【０００３】  これには、次のような欠点がある。
（イ）筒状の煙突部のほかに大面積の集熱部を必要としており大規模とならざるを得ない。
（ロ）筒状の煙突部のみで風車を回転させようとした場合、高い煙突が必要である。
本発明は、これらの欠点を除くためになされたものである。
【課題を解決するための手段】
【０００４】  上記の課題を解決するために、本発明の太陽熱を利用して回転する風車は、上部の広い開口部をなくして全体をひょうたん型とし、中ほどの狭まった位置に風車を配し、上部に排気口、下部に吸気口を有する構成とした。
【発明の効果】
【０００５】  本発明の太陽熱を利用して回転する風車は、容器全体で太陽光を受けて内部の空気を暖めるため、別に集熱部を必要としない。【０００６】  本発明の太陽熱を利用して回転する風車は、上部の広い開口部がないため、上部から装置内に冷たい空気が侵入することがなく、効率的に太陽熱を利用できる。【０００７】  本発明の太陽熱を利用して回転する風車は、容器全体の容積に比べ風車の径を小さくすることにより、安定的に回転することができる。【０００８】  本発明の太陽熱を利用して回転する風車は、小規模のものでも機能するため、動きのあるインテリアとして格好のものとなる。【０００９】  本発明の太陽熱を利用して回転する風車は、空気の動きが低気圧の中心部に類似するため理科の教材として利用することができる。【００１０】  本発明の太陽熱を利用して回転する風車は、ある程度規模を大きくすると、発電機を取り付けて発電が可能である。
【図面の簡単な説明】
【００１１】
【図１】  本発明の太陽熱を利用して回転する風車の実施例を示す側面断面図である。
【図２】  風車の平面図である。
【図３】  風車の側面断面図である。
【図４】  風車取り付け部の側面断面図である。
【発明を実施するための形態】
【００１２】  以下、本発明の太陽熱を利用して回転する風車の実施の形態を実施例により説明する。
【実施例】
【００１３】  図１は、本発明の太陽熱を利用して回転する風車の実施例を示す側面断面図である。【００１４】  図において、１は装置の外殻、２は排気口、３は吸気口、４は風車である。【００１５】  この装置を日射の下に置くと、外殻１の内部の空気は暖められ、半密封状態であるため外部の空気より高温となる。温められた外殻１の内部の空気は膨張し、その一部が排気口２から排出される。その瞬間、吸気口３において、外殻１の内部の気圧が外界より低くなるので、外界の空気が吸気口３から外殻１に取り込まれる。日射により外殻１の内部の気温が外界より高く維持されている間、前述の過程が繰り返される。吸気口３から外殻１に取り込まれた空気は、外郭１の中で温められ排気口２から排出されるが、その過程で風車４を回転させる。【００１６】  図２は風車の平面図、図３は風車の側面断面図であるが、風車の形状はこれに限定するものではない。【００１７】  図４は、風車取り付け部の側面断面図であるが、風車の取り付け方法はこれに限定するものではない。
【符号の説明】
【００１８】  １    装置の外殻
２    排気口
３    吸気口
４    風車
【図１】
2010174879.tif 000003
【図２】
2010174879.tif 000004
【図３】
2010174879.tif 000005
【図４】
2010174879.tif 000006
(57)【要約】      （修正有）【課題】最初の小さいエネルギーでアームを左右に動かし、大きいエネルギーを得ること。【解決手段】エアーコンプレッサーにエアーをためて、エアーシリンダーにエアを送りアームの動く最初をエアーシリンダーが伸縮する事により、おもりの先の当たり面が左右に動きます。次にラックギヤフレームが左右可動用ロッドに当たると、左右２個の永久磁石により、左右こうごにおもりの先の当たり面が発電機のローラーに接触になり、発電機をまわし電気を起こします。左右２個の永久磁石の作用になると、エアーシリンダーへのエアーの供給は止まります。【選択図】図５
2010174881.tif 000002
【特許請求の範囲】
最初の小さいエネルギーでアームを左右に動かし、大きいエネルギーを得るための機械です。永久磁石の反ぱつとエアーを利用した物でその他にバネ及び油圧を応用した物もあります。
【発明の詳細な説明】
【作用】
エアーコンプレッサーユニット▲３４▼にエアーをためエアーシリンダー▲２９▼にエアーを送りエアーシリンダーのロッド▲３１▼を伸縮する事によりラックギヤフレーム▲３▼を左右に動かします。ラックギヤフレーム▲３▼の両サイド合計４個のベアリングカラー▲３５▼▲３６▼▲３７▼▲３８▼がベアリングカラーレール▲５▼▲６▼▲１７▼▲２４▼の上面を左右に動きます。又ラックギヤフレーム▲３▼と、ラックギヤ▲９▼は一体物です。ラックギヤー▲９▼が左右に動くと、ピニオンギヤ▲２０▼も動き、ピニオンギヤシャフト▲１８▼はまわりアーム▲１３▼の先にはおもり▲１６▼が固定され、おもり▲１６▼の下部には発電機のローラー▲２１▼に接触になるあたり面▲４０▼があります。発電機のローラー▲２１▼にあたり面▲４０▼が接触になると発電機▲２２▼がまわり、電気を起こします。エアーシリンダー▲２９▼はこの機械の最初のスタートとなる物で、ラックギヤーフレーム▲３▼、▲３９▼が左右に動くと、左右可動用ロッド▲４４▼へ当たり、永久磁石▲４２▼は、右方向へ動きます。永久磁石▲４２▼が永久磁石▲４１▼へ近ずき当たると永久磁石のＮ極とＮ極の反ぱつにより、永久磁石▲４２▼は左方向にもどされます。永久磁石のセットは左右に２個あります。又ある程度永久磁石の作用により、動けば最初のエアーシリンダー▲２９▼へのエアーの供給は止まります。その後は、永久磁石の力によってエネルギーを得ます。
【図面の簡単な説明】
【図１】上面図  おもりの先の当たり面が真下になった状態
【図２】側面図  おもりの先の当たり面が真下になった状態
【図３】側面図  おもりの先の当たり面が真下より多少動いた状態
【図４】上面図  各部の符号図
【図５】側面図  左右２個の永久磁石の作用によりアームが左方向に動いている状態
【図６】側面図  左右２個の永久磁石の作用によりアームが右方向に動いている状態
【図７】側面図  各部の符号図
【符号の説明】▲１▼本体
▲２▼ピニオンギヤ取付台の定板
▲３▼ラックギヤフレーム
▲４▼ピニオンギヤ取付台
▲５▼ベアリングカラーレール
▲６▼ベアリングカラーレール
▲７▼永久磁石の本体
▲８▼永久磁石の本体
▲９▼ラックギヤ
▲１０▼支柱
▲１１▼支柱
▲１２▼支柱
▲１３▼アーム
▲１４▼発電機の台
▲１５▼アーム固定ナット
▲１６▼おもり
▲１７▼ベアリングカラーレール
▲１８▼ピニオンギヤシャフト
▲１９▼ピニオンギヤ取付台
▲２０▼ピニオンギヤ
▲２１▼発電機のローラー
▲２２▼発電機
▲２３▼発電機取付台
▲２４▼ベアリングカラーレール
▲２５▼ベアリング
▲２６▼ベアリング
▲２７▼ベアリング
▲２８▼ベアリング
▲２９▼エアシリンダー
▲３０▼エアーシリンダー取付台
▲３１▼エアーシリンダーのロッド
▲３２▼エアーシリンダーの取付ビス
▲３３▼エアーシリンダーのロッド取付ビス
▲３４▼エアーコンプレッサーユニット
▲３５▼ベアリングカラー
▲３６▼ベアリングカラー
▲３７▼ベアリングカラー
▲３８▼ベアリングカラー
▲３９▼ラックギヤフレーム
▲４０▼当たり面
▲４１▼永久磁石
▲４２▼永久磁石
▲４３▼永久磁石の本体
▲４４▼左右可動用ロッド
【図１】
2010174881.tif 000003
【図２】
2010174881.tif 000004
【図３】
2010174881.tif 000005
【図４】
2010174881.tif 000006
【図５】
2010174881.tif 000007
【図６】
2010174881.tif 000008
【図７】
2010174881.tif 000009
(57)【要約】【課題】サッカーのプレー中、パンツからシャツの裾部が出て垂れ下がり非紳士的である。【解決手段】シャツの裾部に伸縮ゴムを取り付けることによって、シャツが垂れ下がるのを防ぐ。【選択図】図１
2010174427.tif 000002
【特許請求の範囲】
【請求項１】
サッカー用ユニホームシャツの裾部に伸縮性ゴムを取り付けること。
【発明の詳細な説明】
【技術分野】  本発明はサッカー用ユニホームの裾部に関する。【０００１】
【背景技術】
【０００２】
【先行技術文献】
【特許文献】
【０００３】
【特許文献１】
【特許文献２】
【非特許文献】
【０００４】
【非特許文献１】
【非特許文献２】
【発明の概要】
サッカー用ユニホームの裾部にゴムを取り付ける
【発明が解決しようとする課題】
プレー中、パンツからシャツが出て、垂れ下がること。これは世界的に紳士のスポーツと言われるサッカーにおいて近年、課題視されていた。
【課題を解決するための手段】
シャツの裾部に伸縮性のあるゴムを取り付ける。
【発明の効果】
伸縮性のあるゴムによってシャツの裾部が体の腰に密着し、シャツの裾部が垂れ下がらない。
【図面の簡単な説明】
【図１】はサッカー用ユニホームを正面から見た図である。
【発明を実施するための形態】
【実施例】
【産業上の利用可能性】
【符号の説明】
【受託番号】
【配列表フリーテキスト】
【図１】
2010174427.tif 000003
(57)【要約】【課題】  医療、福祉、保育現場における雰囲気を明るく楽しい雰囲気にし、従事者が作業しやすいようにする衣服【解決手段】  医療、福祉、保育関係者が着用する衣服制帽などに柄や模様、キャラクターなどを印刷し現場の雰囲気を明るく楽しく作業のしやすいものとする。【特許請求の範囲】
【請求項１】
医療、保健、福祉、保育関係者の白衣、手術着、エプロン、ガウン、予防衣、スクラブ、制帽、上着、シャツなど医療、保健、福祉、保育関係者が着用する制服、制帽、衣服などに柄や模様、キャラクターなどをつけたことを特徴とする衣服。
【発明の詳細な説明】
【技術分野】
【００１】本発明は、衣服に関する発明であり、衣服に柄や模様、キャラクターなどを加えることにより、医療現場、介護現場、保育現場での現場の雰囲気を、かわいい、楽しい、明るいものにしたものである。【００２】本発明は、衣服に関する発明であり、医療現場、介護現場、保育現場での業務に当たる際に、従事者が着ていて動きやすく業務がこなせることを特徴とした衣服である。
【背景技術】
【００３】現在の日本の医療、福祉、保育現場での業務時における制服や白衣などは、それらの衣服は白やサックスなど比較的限られた色だけである。しかし、このような白やサックスだけでは、業務時においても、動きにくいだけではなく、見ていても楽しくなく、時として、相手方に対して、緊張感や威圧感を与えることがある。
【発明の開示】
【発明が解決しようとする課題】
【００４】現在の日本の医療、福祉、保育現場においては、制服を始めとして、身につけている衣服が白やサックスが中心であり、業務時においても、従事者が作業がしずらく、動きにくいだけではなく、見ていても楽しくない雰囲気であり時として、患者さんや相手方に対して、威圧感や緊張感を与えている。【００５】そのため、作業時も、着ている本人は、動きやすくて着やすく、また、相手方には、緊張感や威圧感を与えることなく、雰囲気を見ていても、かわいい、たのしい、気持ちが和む衣服を作ることを課題とする。
【課題を解決するための手段】
【００６】この課題を解決するため、請求項１の発明は、医療、福祉、保育関係者の衣服に柄や模様キャラクターなどを付けて、カラフルにしたものである。【００７】この課題を解決するため、請求項１の発明は、医療、福祉、保育関係者の衣服を着ていても動きやすく、また下着などが透けないように工夫したものである。
【発明の効果】
【００８】本発明により、医療、福祉、保育関係者の衣服などをキャラクターを加え、色もカラフルにすることにより、楽しい、かわいい、気持ちが和む衣服にし、現場を明るい雰囲気にすることが可能となる。また、着ている本人も動きやすく作業のしやすい衣服とすることが可能となる。
【発明を実施するための最良の形態】
【００９】本発明は、医療、福祉、保育関係者が着用する、白衣、手術着、エプロン、ガウン、予防衣、スクラブ、制帽、上着、シャツなど医療、保健、福祉、保育関係者が着用する制服制帽衣服などに柄や模様及びキャラクターなどを印刷及び刺繍などを施す。
【産業上の利用可能性】
【０１０】本発明は、医療、福祉、保育現場において、その業務に従事する従事者が着用し、現場の雰囲気を明るく、楽しい雰囲気にすることが可能である。【０１１】本発明により、医療、福祉、保育現場において、その業務に従事する従事者が業務時において、動きやすく、活動的にすることが可能である。